(57)【要約】【課題】エンジン逆回転時に電機子軸の逆回転を防止する逆転防止用クラッチを備えるスタータにおいて、クラッチアウタとクラッチ固定部材の圧入部分の固定力をより大きくでき、且つ、製造が容易なスタータを提供する。【解決手段】逆転防止用クラッチ７のクラッチアウタ３２は、クラッチ固定部材３４の中心から軸方向に突出した円筒部３４ａの内径側の中空部３４ｂに圧入固定される。このとき、ローラ３３のロック時にローラ３３の外径方向の押圧力を受けるカム室３２ａの外径側が中空部３４ｂに圧入されるようにすることで、ローラ３３の押圧力を圧入部分の固定に寄与させることができる。これによって、クラッチアウタ３２とクラッチ固定部材３４の固定力を更に大きくできる。このため、圧入代を小さく設計しても、エンジン逆回転時には十分な固定力が得られる。【選択図】図２
2010196629.tif 000002
【特許請求の範囲】
【請求項１】
電機子軸に回転力を発生するモータと、
前記電機子軸の回転トルクが伝達される出力軸と、
この出力軸上に設けられると共に、前記出力軸と一体に回転してエンジン側のリングギヤを駆動するピニオンギヤと、
前記電機子軸がエンジン駆動時と逆方向に回転することを防止する逆転防止用クラッチと、
前記逆転防止用クラッチを収容するハウジングと、を備え、
前記逆転防止用クラッチは、前記電機子軸と一体に回転するクラッチインナと、このクラッチインナの外径側に配置されるクラッチアウタと、前記クラッチインナとこのクラッチアウタとの間に形成されるカム室に収容される係合子と、を有すると共に、前記クラッチアウタは前記ハウジングに回転不能に固定されるクラッチ固定部材の中空部に圧入固定されるスタータにおいて、
前記クラッチアウタは、少なくとも前記カム室の外径側が前記中空部に圧入固定されていることを特徴とするスタータ。
【請求項２】
請求項１に記載のスタータにおいて、
前記クラッチアウタの外周部と前記中空部の内周には、互いに嵌合して回転を規制する回り止め部が形成されることを特徴とするスタータ。
【請求項３】
請求項１または２に記載のスタータにおいて、
前記中空部は、前記クラッチ固定部材の中心部から軸方向に突出して形成された円筒部の内径側であることを特徴とするスタータ。
【請求項４】
請求項３に記載のスタータにおいて、
前記円筒部の外周には、前記係合子の軸方向位置を規制するカバーが組み付けられることを特徴とするスタータ。
【請求項５】
請求項３または４に記載のスタータにおいて、
前記カバーに設けられた前記電機子軸を通すための挿通孔の内周面に、前記電機子軸に摺接するシール部材を設けたことを特徴とするスタータ。
【請求項６】
請求項１〜５に記載の何れかのスタータにおいて、
前記クラッチ固定部材は、プレス成形品であることを特徴とするスタータ。                                                                        
【発明の詳細な説明】
【技術分野】
【０００１】
本発明は、トルクを一方向に伝達する一方向クラッチを備えたスタータに関する。
【背景技術】
【０００２】
従来より、エンジン側のリングギヤとスタータ側のピニオンギヤとが直接または中間ギヤ等を介して常時噛み合っている常時噛合い式スタータが知られている。
【０００３】
この常時噛合い式スタータでは、エンジン駆動後、ピニオンギヤがエンジンのリングギヤから離脱することはなく常時噛み合っているので、エンジンが停止する前（エンジンが惰性回転している時）の再始動が可能である。また、電磁押し込み式スタータでは、ピニオンギヤがリングギヤに噛み合う時に噛み合い音が発生するが、常時噛み合い式スタータでは、この噛み合い音が発生しないため、静音性の点でも優れる。これらから、常時噛み合い式スタータは、アイドルストップシステム等に有用である。
【０００４】
ただし、常時噛み合い式スタータにおいては、エンジンが逆方向に回転したときのトルクがリングギヤとピニオンギヤを介してスタータ側へ伝達されてしまう。その結果、電機子がリングギヤとピニオンギヤとのギヤ比（減速比）を乗じた回転数（内部減速機を有するスタータでは、更に内部減速比を乗じた回転数）で回されることになり、ブラシ寿命の低下や、電機子が遠心力によって破損することが懸念される。
【０００５】
そこで、特許文献１に記載の常時噛み合い式スタータは、エンジンの逆回転トルクを遮断する逆転防止用クラッチを電機子軸に設けている。この逆転防止用クラッチは、クラッチアウタが電機子のヨークに対し回転不能に固定され、その内径側に電機子軸と一体に回転するクラッチインナがローラを介して係合している。エンジン駆動時は、ローラが回転することでクラッチインナがクラッチアウタに対し空転するため、電機子軸のトルクがエンジン側へ伝達されるが、エンジン逆回転時は、ローラがロックすることでクラッチインナの回転が規制されるため、電機子軸が逆回転することを防止できる。
【０００６】
特に特許文献１の実施例２に記載の常時噛み合い式スタータでは、ハウジングに対して、ラッチアウタがクラッチ固定部材を介して支持される構成としている。これは、クラッチアウタがそのままハウジングに固定される構成とすると、クラッチアウタの外径が大きくなり、鍛造により成形することが困難であるためである。クラッチインナとローラを介して係合するクラッチアウタのみ鍛造による成形とし、クラッチアウタを支持する外径の大きなクラッチ固定部材をプレス等によって成形することで、クラッチアウタの成形性が向上する。
【先行技術文献】
【特許文献】
【０００７】
【特許文献１】特開２００７−２０５２４４号公報
【発明の概要】
【発明が解決しようとする課題】
【０００８】
上記の逆転防止用クラッチを構成するクラッチアウタは、ハウジングに回転不能に固定されるクラッチ固定部材の中空部に圧入固定される。この圧入部分にはエンジン逆回転時のトルクや大きな衝撃力が加わるため、クラッチアウタが空転しないように十分な固定力を確保する必要がある。
【０００９】
また、クラッチアウタの外径寸法とクラッチ固定部材の内径寸法は、所定の圧入代（クラッチアウタの外径とクラッチ固定部材の内径の寸法差）を設けるが、圧入代はクラッチアウタの外径寸法とクラッチ固定部材の内径寸法の公差によってバラつきが生じる。このため、公差により最も圧入代が小さくなった場合においても十分な固定力を維持できるように、また、公差により最も圧入代が大きくなった場合においてもクラッチアウタをクラッチ固定部材の中空部に組み付けられるようにする必要がある。そこで、圧入部分の切削面は、研磨等の精密加工により厳密な寸法管理を実施せざるを得ないため、製造工数が多くなり、コストが高くなっていた。
【００１０】
本発明は、上記事情に基づいて成されたもので、その目的は、クラッチアウタとクラッチ固定部材の圧入部分の固定力をより大きくでき、且つ、製造が容易な逆転防止用クラッチを備えたスタータの提供にある。
【課題を解決するための手段】
【００１１】
（請求項１の発明）
本発明は、電機子軸に回転力を発生するモータと、電機子軸の回転トルクが伝達される出力軸と、この出力軸上に設けられると共に、出力軸と一体に回転してエンジン側のリングギヤを駆動するピニオンギヤと、電機子軸がエンジン駆動時と逆方向に回転することを防止する逆転防止用クラッチと、逆転防止用クラッチを収容するハウジングと、を備え、逆転防止用クラッチは、電機子軸と一体に回転するクラッチインナと、このクラッチインナの外径側に配置されるクラッチアウタと、クラッチインナとこのクラッチアウタとの間に形成されるカム室に収容される係合子と、を有すると共に、クラッチアウタはハウジングに回転不能に固定されるクラッチ固定部材の中空部に圧入固定されるスタータにおいて、クラッチアウタは、少なくともカム室の外径側が中空部に圧入固定されていることを特徴とするスタータ。
【００１２】
逆転防止用クラッチは、エンジン逆回転時に係合子がカム室内でロックされる。このとき、係合子がカム室の外径側を押圧する押圧力が生じる。そこで、クラッチアウタのカム室の外径側をクラッチ固定部材の中空部に圧入することで、係合子の外径方向の押圧力を圧入部分の固定に寄与させることができる。これによって、クラッチアウタとクラッチ固定部材の固定力を更に大きくできる。このため、圧入代を小さく設計しても、エンジン逆回転時には十分な固定力が得られる。また、クラッチ固定部材の中空部の切削面は研磨等による寸法公差の厳密な管理を必要とせず、製造工数を削減でき、製造コストを低減することができる。
【００１３】
（請求項２の発明）
請求項１に記載のスタータにおいて、クラッチアウタの外周部と中空部の内周には、互いに嵌合して回転を規制する回り止め部が形成されることを特徴とする。
【００１４】
これによって、クラッチアウタとクラッチ固定部材は相対回転が規制されるため、圧入部分の固定をより確実にすることがでる。そして、過大な逆回転トルクの発生時においても、アウタが空転し電機子軸が逆回転することを防止することができる。
【００１５】
（請求項３の発明）
請求項１または２に記載のスタータにおいて、中空部は、クラッチ固定部材の中心部から軸方向に突出して形成された円筒部の内径側であることを特徴とする。
【００１６】
これによって、クラッチアウタは円筒部の内径側に圧入されるため、クラッチ固定部材の板厚に関わらず圧入部分の面積を大きくとることができ、固定力を大きくすることができる。
【００１７】
（請求項４の発明）
請求項３に記載のスタータにおいて、円筒部の外周には、係合子の軸方向位置を規制するカバーが組み付けられることを特徴とする。
【００１８】
これによって、係合子が逆転防止用クラッチから軸方向に飛び出すことを防止できるので、逆転防止用クラッチの挙動を安定させることができる。また、カバーが円筒部を外周側から内径方向に押圧する押圧力を与えることで、クラッチアウタとクラッチ固定部材の圧入部分の固定力が更に増強される。
【００１９】
（請求項５の発明）
請求項３または４に記載のスタータにおいて、カバーに設けられた電機子軸を通すための挿通孔の内周面に、電機子軸に摺接するシール部材を設けたことを特徴とする。
【００２０】
これによって、逆転防止用クラッチに充填されるオイルがケースの挿通孔から外部へ流出することを防止することができるため、回転部の潤滑性が維持される。
【００２１】
（請求項６の発明）
請求項１〜５に記載の何れかのスタータにおいて、クラッチ固定部材は、プレス成形品であることを特徴とする。
【００２２】
クラッチ固定部材の成形をプレス加工によれば、クラッチ固定部材を容易に製造できる。また、クラッチアウタのカム室の外径側を中空部に圧入固定することで、係合子の押圧力を圧入部分の固定に寄与させているため、クラッチ固定部材がプレス成形品であっても充分な固定力を確保できる。
【図面の簡単な説明】
【００２３】
【図１】常時噛み合い式スタータの半断面図である。
【図２】図１における逆転防止用クラッチ付近の要部拡大図である。
【図３】逆転防止用クラッチとクラッチ固定部材の断面図（図２のＡ−Ａ断面）である（実施例１）。
【図４】逆転防止用クラッチとクラッチ固定部材の断面図（図２のＡ−Ａ断面）である（実施例２）。
【図５】逆転防止用クラッチの動作を示す説明図である。
【発明を実施するための形態】
【００２４】
（実施例１）
図１は常時噛合い式のスタータ１の半断面図である。
【００２５】
実施例１のスタータ１は、図１に示す様に、回転力を発生するモータ２と、このモータ２の通電回路（モータ回路と呼ぶ）に設けられるメイン接点（後述する）を開閉する電磁スイッチ３と、モータ２の回転を減速する減速機４と、この減速機４を介してモータ２の駆動トルクが伝達される出力軸５と、この出力軸５に支持されるピニオンギヤ６と、モータ２の逆回転を防止する逆転防止用クラッチ７等より構成される。
【００２６】
このスタータ１は、エンジンの停止および再始動を自動制御するエンジン自動停止／再始動システム（アイドルストップ、エコランシステム等と呼ばれる）に用いることができる。
【００２７】
モータ２は、図１に示す様に、磁気回路を形成するヨーク８と、このヨーク８の内周に磁界を形成するコイル９（永久磁石でも良い）と、電磁力の働きにより回転する電機子１０等より構成される周知の直流電動機である。
【００２８】
ヨーク８は、円筒形状を有し、センターケース１０とエンドフレーム１１との間に挟持される。なお、センターケース１０の反ヨーク８側にはフロントハウジング１２が嵌合しており、エンドフレーム１１の後端から複数本のスルーボルト（図示せず）をフロントハウジング１２に締め付けることによって、フロントハウジング１２、センターケース１０、ヨーク８、エンドフレーム１１が一体に固定されている。
【００２９】
コイル９は、ボビンケース１３に巻回され、ヨーク８の内周面に固定される。
【００３０】
電機子１０は、電機子軸１４と、この電機子軸１４の外周にセレーション嵌合する電機子鉄心１５と、この電機子鉄心１５に巻線される電機子コイル１６と、電機子軸１４の一端側に設けられるコンミテータ１７より構成される。
【００３１】
コンミテータ１７は、電機子軸１４の周囲に絶縁材１８を介して円筒状に配置される複数のセグメントによって形成され、各セグメントが電機子コイル１６に電気的且つ機械的に接続されている。また、コンミテータ１７の外周には、複数のカーボンブラシ１９が配置されている。
【００３２】
電磁スイッチ３は、車載バッテリ（図示せず）から通電されて電磁石を形成する電磁コイル（図示せず）と、この電磁コイルの内側に挿入されるプランジャ（図示せず）とを備え、電磁コイルへの通電によって電磁石が形成されると、その電磁石にプランジャが吸引されて、モータ回路のメイン接点を閉操作する。また、電磁コイルへの通電が停止して電磁石の吸引力が消滅すると、図示しないリターンスプリングの反力にプランジャが押し戻されて、メイン接点を開操作する。
【００３３】
メイン接点は、２本の外部端子２０、２１を介してモータ回路に接続される一組の固定接点（図示せず）と、プランジャと一体に可動して一組の固定接点間を断続する可動接点（図示せず）とで形成され、この可動接点を通じて一組の固定接点間が導通することでメイン接点が閉状態となり、一組の固定接点間の導通が遮断されることでメイン接点が開状態となる。
【００３４】
２本の外部端子２０、２１は、図１に示す様に、バッテリケーブルを介して車載バッテリに接続されるＢ端子２０と、モータ２から取り出されたモータリード線２２が接続されるＭ端子２１であり、共に電磁スイッチ３のカバー３ａに固定されている。
【００３５】
減速機４は、電機子軸１４と同軸上で減速できる周知の遊星歯車減速機であり、図２に示す様に、電機子軸１４の反コンミテータ側に形成された太陽ギヤ２３と、この太陽ギヤ２３と同心に配置され、且つ下述の衝撃吸収装置を介して回転規制されるインターナルギヤ２４と、両ギヤ２３、２４に噛み合う複数の遊星ギヤ２５で構成される。
【００３６】
遊星ギヤ２５は、出力軸５に一体に形成されるキャリアプレート５ａへピン２５ａを介して自転可能に取り付けられる。電機子軸１４の回転により太陽ギヤ２３が自転することで、遊星ギヤ２５が公転し、キャリアプレート５ａが回転する。このようにして、電機子軸１４の回転トルクは出力軸５へ伝達される。
【００３７】
衝撃吸収装置は、図２に示す様に、センターケース１０内に回転不能に設けられる固定ディスク２６と、固定ディスク２６との摩擦力によって回転規制されると共にインターナルギヤ２４と相対回転不能に設けられる回転ディスク２７と、固定ディスク２６に隣接配置され固定ディスク２６と回転ディスク２７との摩擦面を付勢する皿ばね２８等から構成される。この皿ばね２８の付勢荷重によって、回転ディスク２７が固定ディスク２６との摩擦力に抗して滑り始めるトルク（以下、滑り開始トルクという）が予め設定されている。インターナルギヤ２４にこの滑り開始トルクを上回る過大なトルクが加わると、回転ディスク２７の回転が許容されインターナルギヤ２４が回転することにより、減速機４の前後でトルク伝達を遮断するように構成されている。
【００３８】
出力軸５は、図１に示す様に、電機子軸１４と同一軸線上に配置されて、一端側が減速機４を介して電機子軸１４に連結され、他端側が軸受２９を介してフロントハウジング１２に回転自在に支持されている。
【００３９】
ピニオンギヤ６は、図１に示す様に、出力軸５の外周にスプライン結合され、出力軸５と一体に回転可能に設けられると共に、エンジン側のリングギヤ３０に常時噛み合わされている。
【００４０】
逆転防止用クラッチ７は、図３に示す様に、電機子軸上に形成されたクラッチインナ３１と、クラッチインナ３１の外径側に同心に配置されるクラッチアウタ３２と、クラッチインナ３１とクラッチアウタ３２の間に形成される介設されるローラ３３（本発明の係合子）等より構成される。
【００４１】
クラッチインナ３１は、電機子軸１４上において電機子鉄心１５が嵌合するセレーション軸部と太陽ギヤ２３が形成されたギヤ形成部との間の部位に形成される。即ち、クラッチインナ３１は電機子軸１４と一体に回転する。
【００４２】
クラッチアウタ３２は、その内周面がクラッチインナ３１の外周面とローラ３３を介して係合している。また、クラッチアウタ３２の外周部はクラッチ固定部材３４によって支持され、ヨーク８とセンターケース１０に対し回転不能に固定される。ここで、クラッチアウタ３２は、鉄やアルミ等の金属材料からなり、冷間鍛造により成形された後、浸炭等の熱処理を施すことにより高い強度を持たせている。
【００４３】
ローラ３３は、クラッチアウタ３２の内周側に形成されたくさび状のカム室３２ａにスプリング３５と共に収容され、スプリング３５によってカム室３２ａの狭小方向へ付勢されている。
【００４４】
クラッチ固定部材３４には、図２に示す様に、中心部から軸方向に突出した円筒部３４ａが形成され、その内径側に中空部３４ｂを有する。クラッチアウタ３２は、この中空部３４ｂに圧入により固定される。このとき、ローラ３３がロックしたときにローラ３３の押圧力を受けるカム室３２ａの外径側が中空部３４ｂに圧入されるように構成する。より具体的には、クラッチアウタ３２の開口端からカム室の底端までの軸方向範囲が円筒部３４ａとオーバーラップするようにする。そして、円筒部３４ａの外周には、有底円筒形状を有するカバー３６が組み付けられる。また、クラッチ固定部材３４には、外周部に軸方向に突出した円筒形状を有する嵌合部３４ｃが形成され、この嵌合部３４ｃの開口部内周面がヨーク８の開口部に形成されたインロー部（開口部に段差をつけることで開口端部の外径を小さくした部分）．に嵌合し、回転不能に固定されている。また、この嵌合部３４ｃにもインロー部が形成されており、センターケース１０の開口部内周面と嵌合している。即ち、クラッチ固定部材３４は、ヨーク８とセンターケース１０との間に介設されている。ここで、クラッチ固定部材３４は、例えば鉄やアルミなどの金属材料からなり、プレス加工によって成形される。
【００４５】
カバー３６は、その底部がローラ３３に当接するように設けられ、ローラ３３の軸方向位置を規制する。また、底部の中心には電機子軸１４を通すための挿通孔を有し、この挿通孔の内周面にはリップシール３７（本発明のシール部材）が電機子軸１４に摺接するように設けられる。
【００４６】
次に、上記スタータ１の作動及び効果について説明する。
【００４７】
電磁スイッチ３によりモータ回路のメイン接点が閉操作されると、車載バッテリから電機子コイルに通電され、その電機子コイルに働く電磁力によって電機子２に回転力を発生する。電機子軸１４が回転するき、図５に示す様に、逆転防止用クラッチ７のローラ３３がスプリング３５の付勢力に抗してカム室３２ａの広大方向に移動する。このため、ローラ３３は空転することで、クラッチインナ３１、即ち電機子軸１４の回転は規制されることなく、減速機４を介して出力軸５に伝達される。そして、出力軸５の回転はピニオンギヤ６からリングギヤ３０に伝達されて、エンジンをクランキングする。このとき、スタータ１に衝撃力が生じ、衝撃吸収装置に固定ディスクと回転ディスクとの滑り開始トルクを超える過大トルクが入力されると、インターナルギヤが空転することによって衝撃は吸収される。
【００４８】
エンジンが完爆してエンジン回転数がスタータ回転数を上回ると、例えば、リングギヤ３０に内蔵された一方向クラッチ（図示せず）が空転して、エンジンのクランク軸からリングギヤ３０が切り離されるため、エンジンの回転がピニオンギヤ６に伝達されることはなく、電機子１０のオーバランを防止できる。
【００４９】
また、エンジンが停止する際に生じるクランク軸の揺動あるいは登板路のエンストで車両が後退する時等にエンジンが逆回転すると、その逆回転がリングギヤ３０に常時噛み合うピニオンギヤ６に伝達され、エンジン駆動時とは逆方向の回転が出力軸５に伝わる。この出力軸５の逆回転が減速機４を介して電機子軸１４に伝達されると、図５に示す様に、逆転防止用クラッチ７のローラ３３がカム室３２ａの一方向（狭小方向）に移動してロックされる。これによって、クラッチインナ３１の回転、即ち電機子軸１４の逆回転が規制されるため、電機子１４がエンジン駆動時と逆方向に回転することを防止できる。このとき、電機子軸１４の回転は規制されるが、衝撃吸収装置の回転ディスク２７が滑ることでインターナルギヤ２４の回転が許容され、逆回転トルクは遮断される。
【００５０】
（実施例１の効果）
逆転防止用クラッチ７は、エンジン逆回転時にローラ３３がカム室３２ａ内でロックされる。このとき、ローラ３３がカム室３２ａの外径側を押圧する押圧力が生じる。そこで、クラッチアウタ３２のカム室３２ａの外径側をクラッチ固定部材３４の中空部３４ｂに圧入することで、ローラ３３の外径方向の押圧力を圧入部分の固定に寄与させることができる。これによって、クラッチアウタ３２とクラッチ固定部材３４の固定力を更に大きくできる。このため、圧入代を小さく設計しても、エンジン逆回転時には十分な固定力が得られる。また、クラッチ固定部材３４の中空部３４ｂの切削面は研磨等による寸法公差の厳密な管理を必要とせず、製造工数を削減でき、製造コストを低減することができる。
【００５１】
そして、クラッチアウタ３２が圧入される部分はクラッチ固定部材３４に形成された円筒部３４ａの内径側の中空部３４ｂであることで、クラッチ固定部材の板厚に関わらず圧入部分の面積を大きくとることができ、固定力を大きくすることができる。
【００５２】
また、円筒部３４ａの外周にカバー３６を設けることによって、ローラ３３が逆転防止用クラッチ７から軸方向に飛び出すことを防止できるので、逆転防止用クラッチ７の挙動を安定させることができる。また、カバー３６が円筒部３４ａを外周側から内径方向に押圧する押圧力を与えることで、クラッチアウタ３２とクラッチ固定部材７の圧入部分の固定力が更に増強される。
【００５３】
カバー３６の挿通孔の内周側にリップシール３７設けられることで、逆転防止用クラッチ７に充填されるオイルがケースの挿通孔から外部へ流出することを防止することができるため、回転部の潤滑性が維持される。
【００５４】
クラッチ固定部材３４の成形をプレス加工によれば、クラッチ固定部材３４を容易に製造できる。また、クラッチアウタ３２のカム室３２ａの外径側を中空部３４ｂに圧入固定することで、ローラ３３の押圧力を圧入部分の固定に寄与させているため、クラッチ固定部材３４がプレス成形品であっても充分な固定力を確保できる。
【００５５】
（実施例２）
図４は、逆転防止用クラッチ７とクラッチ固定部材３４の断面図である。
【００５６】
実施例２のスタータ１は、図４に示す様に、逆転防止用クラッチ７のクラッチアウタ３２の外周部と中空部３４ｂに、互いに嵌合する直スプライン（本発明の回り止め部）が形成される。
【００５７】
これによって、クラッチアウタ３２とクラッチ固定部材７は相対回転が規制されるため、圧入部分の固定をより確実にすることができる。そして、想定外の衝撃が発生時した場合においても、クラッチアウタ３２が空転し電機子軸が逆回転することを確実に防止することができる。
【００５８】
その他の構成、効果は実施例１と同様である。
【符号の説明】
【００５９】
１    スタータ
２    電機子
３    モータ
５    出力軸
６    ピニオンギヤ
７    逆転防止用クラッチ
９    コイル
３１    クラッチインナ
３２    クラッチアウタ
３３    ローラ
３４    クラッチ固定部材
３４ａ  円筒部
３４ｂ  中空部
３６    カバー
３７    シール部材
【図１】
2010196629.tif 000003
【図２】
2010196629.tif 000004
【図３】
2010196629.tif 000005
【図４】
2010196629.tif 000006
【図５】
2010196629.tif 000007